(57)【特許請求の範囲】
【請求項１】
赤外線を照射するヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、
前記ヒーター取付具は、ヒーターの長手方向に沿って２分割されたヒーターを挟持するための碍子と、該碍子の外周を挟持すると共に碍子と平行な一部に膨出部が形成され碍子を弾性的に挟持する第１の板バネと、該第１の板バネに直交するするように取付けられ他端が前記反射板に固定され中間部に膨出部が形成されている第２の板バネとから構成され、前記ヒーターが熱膨張によって径が太くなった場合には前記第１の板バネの膨出部で吸収し、また、ヒーターの長手方向が長くなった場合には前記第２の板バネの膨出部で吸収するようにしたことを特徴とする毛髪処理促進装置におけるヒーター取付構造。
【請求項２】
赤外線を照射するヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、
前記ヒーター取付具は、ヒーターの長手方向に沿って２分割されたヒーターを挟持すると共に外周に溝が形成された碍子と、該碍子の前記溝に嵌まり込まれると共に膨出部が形成され、また、前記碍子に嵌め込まれた部分から延長された両端を円形のリング状部が形成され、かつ、該リング状部が反射板にネジ止め取付けられたバネ線で構成され、前記ヒーターが熱膨張によって径が太くなった場合には前記膨出部で吸収し、また、ヒーターの長手方向が長くなった場合には前記リング状部が前記ネジに対して回転変位することで吸収するようにしたことを特徴とする毛髪処理促進装置におけるヒーター取付構造。
【請求項３】
赤外線を照射する有端ヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、
前記ヒーター取付具は、ヒーターの長手方向に沿って２分割された碍子の間に弾性材を介在した状態において前記ヒーターの中央部を除く部分を挟持した状態で前記反射板に取付けられる複数の第１のヒーター取付具と、ヒーターの長手方向に沿って２分割された碍子と前記ヒーターとの間に金属製の固定バーを介在させ、かつ、前記碍子間に弾性材を介在した状態において前記ヒーターの中央部を挟持して前記反射板に取付けられる１個の第２の取付具とで構成され、前記ヒーターが熱膨張によって径が太くなった場合には前記第１、第２のヒーター取付具で吸収し、また、ヒーターの長手方向が長くなった場合には前記第１のヒーター取付具のみで吸収するようにしたことを特徴とする毛髪処理促進装置におけるヒーター取付構造。
【発明の詳細な説明】
【０００１】
【発明の属する技術分野】
本発明は理美容室において、洗髪時の乾燥、染色時の促進、頭髪のパーマネントウエーブ化等に際し、頭髪に向かって赤外線を照射して頭髪を加熱するための毛髪処理促進装置であって、前記赤外線を放射するヒーターを反射板に対して、該ヒーターが加熱によって膨張しても確実に反射板に支持可能なようにしたヒーター取付構造に関する。
【０００２】
【従来の技術】
従来、この種の毛髪処理促進装置における断面形状が円形のヒーターを反射板に取付ける構造としては、ヒーターの直径より少し大きめのドーナッツ状碍子内に前記ヒーターを挿通すると共に、前記碍子の外周を長めの鋼線で巻き、残った前記鋼線を反射板に開口された取付孔に固定したものであった。
【０００３】
【発明が解決しようとする課題】
ところで、前記した従来例にあっては、ヒーターと碍子の間に隙間があるために、モータによって回転させた時に、ヒーターと碍子との接触音が発生し、また、ヒーターが加熱され高温になると熱膨張によりヒーターの長さがながくなり、、その結果、反射板断面と鋼線とによる接触によって金属音が発生し、さらに、前記熱膨張による歪みによって絶縁距離が変化して絶縁不良が発生するという問題があった。
【０００４】
本発明は前記した問題点を解決せんとするもので、その目的とするところは、ヒーターへの非通電時においても碍子との間に隙間が生じないようにし、また、ヒーターに通電して熱膨張が生じてもヒーター長さの変化を吸収でき、しかも、反射板とヒーターとの必要絶縁距離が保たれる毛髪処理促進装置のヒーター取付構造を提供せんとするにある。
【０００５】
【課題を解決するための手段】
本発明の毛髪処理促進装置におけるヒーター取付構造は前記した目的を達成せんとするもので、請求項１の手段は、赤外線を照射するヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、前記ヒーター取付具は、ヒーターの長手方向に沿って２分割されたヒーターを挟持するための碍子と、該碍子の外周を挟持すると共に碍子と平行な一部に膨出部が形成され碍子を弾性的に挟持する第１の板バネと、該第１の板バネに直交するするように取付けられ他端が前記反射板に固定され中間部に膨出部が形成されている第２の板バネとから構成され、前記ヒーターが熱膨張によって径が太くなった場合には前記第１の板バネの膨出部で吸収し、また、ヒーターの長手方向が長くなった場合には前記第２の板バネの膨出部で吸収するようにしたことを特徴とする。
また、請求項２の手段は、赤外線を照射するヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、前記ヒーター取付具は、ヒーターの長手方向に沿って２分割されたヒーターを挟持すると共に外周に溝が形成された碍子と、該碍子の前記溝に嵌まり込まれると共に膨出部が形成され、また、前記碍子に嵌め込まれた部分から延長された両端を円形のリング状部が形成され、かつ、該リング状部が反射板にネジ止め取付けられたバネ線で構成され、前記ヒーターが熱膨張によって径が太くなった場合には前記膨出部で吸収し、また、ヒーターの長手方向が長くなった場合には前記リング状部が前記ネジに対して回転変位することで吸収するようにしたことを特徴とする。
【０００６】
請求項２の手段は、前記した請求項１において、前記ヒーター取付具は、前記２分割された碍子の外周を挟持すると共に一部に膨出部が形成された第１の板バネと、該第１の板バネに対して直交する膨出部を有し、一端が前記第１の板バネに固定され、他端が前記反射板に立設されたピンにネジ止めされた第２の板バネとから構成されていることを特徴とする。
【０００７】
請求項３の手段は、前記した請求項１において、前記ヒーター取付具は、前記２分割された碍子の全外周に形成された溝に嵌まり込まれると共に膨出部が形成され、また、前記碍子に嵌め込まれた部分から延長された両端を円形のリング状部としたバネ線から構成され、かつ、前記リング状部を反射板にネジ止め固定したことを特徴とする。
【０００８】
請求項３の手段は、赤外線を照射する有端ヒーターを反射板に取付け、該反射板を被施術者の頭部における頂部、後部、両側部に沿って前記赤外線を照射するように回転させた毛髪処理促進装置における前記ヒーターを前記反射板に取付けるためのヒーター取付具であって、前記ヒーター取付具は、ヒーターの長手方向に沿って２分割された碍子の間に弾性材を介在した状態において前記ヒーターの中央部を除く部分を挟持した状態で前記反射板に取付けられる複数の第１のヒーター取付具と、ヒーターの長手方向に沿って２分割された碍子と前記ヒーターとの間に金属製の固定バーを介在させ、かつ、前記碍子間に弾性材を介在した状態において前記ヒーターの中央部を挟持して前記反射板に取付けられる１個の第２の取付具とで構成され、前記ヒーターが熱膨張によって径が太くなった場合には前記第１、第２のヒーター取付具で吸収し、また、ヒーターの長手方向が長くなった場合には前記第１のヒーター取付具のみで吸収するようにしたことを特徴とする。
【０００９】
【発明の実施の形態】
以下、本発明に係る毛髪処理促進装置におけるヒーター取付構造の実施の形態を図面と共に説明する。
図１は毛髪処理促進装置き全体図を示し、１は被施術者の頭の高さに応じて昇降可能な昇降杆にして、上端には本体ケース２が取付けられている。３は該本体ケース２の垂直部内に固定されたモータにして、図示しない減速機が内蔵されている。
【００１０】
４は前記本体ケース２の傾斜部内に固定された固定板にして、該固定板４の一端には前記モータ３が、他端には回転軸５が軸支されている。該回転軸５にはプーリー５ａが固定され、前記モータ３の出力軸に固定されたプーリー３ａとの間にベルト６が巻回されている。
【００１１】
７は前記回転軸５の前記本体ケース２から突出した部分に固定された加熱装置にして、該加熱装置７には合成樹脂等の軽量部材で形成されたカバー７１が一体的に形成されている。そして、このカバー７１の内側には後述する同じくリング状の反射板７２が、また反射板７２の内側にセラミック、石英硝子等のリング状細管内にニクロム線等の加熱線を収容した赤外線を放射するヒーター７３が取付けられている。
【００１２】
なお、前記加熱装置７を回転させる手法としてはモータ３の回転力をベルト６によって伝達したものを示したが、たの手法としては、モータ３と加熱装置７とをギアによって連結することによってモータ３の回転力を伝達するようにしてもよい。
【００１３】
８は本体ケース２内に導入された電源コード８ａよりの電源を、回転する前記ヒーターに供給するための回転給電装置にして、一方が固定電極８ｂで、他方が回転電極８ｃとなっていて、前記回転電極８ｃに棒状のブラシ８ｄを固定電極８ｂに弾性的に摺接することによりリード線８ｅを介してヒーター７３に通電するものである。
【００１４】
次に、加熱装置７の詳細を図２〜図９と共に説明する。
加熱装置７は前記回転給電装置８に前記回転軸５ａにナットによって固定された金属製のスピナーフレーム７ａと、該スピナーフレーム７ａの外周を覆うスピナーカバー７ｂと、前記スピナーフレーム７ａに対して前記カバー７１と共にネジ止めされた略半円形状の金属製のリングフレーム７ｃと、該リングフレーム７ａに固定される円形の反射板７２と、該反射板７２を前記リングフレーム７ａに取付けるための断熱性材料による固定金具７４と、円形状のヒーター７３を反射板７２に固定するためのヒーター取付具７５および前記カバー７１の開口面を覆う防護網７７とより構成されている。
【００１５】
前記リングフレーム７ｃは前記スピナーフレーム７ａに対して前記スピナーカバー７ｂと共にネジ止めされるが、このネジ止めに際して、樹脂等の絶縁キャップ７ｄを介してネジ７ｅによってネジ止められるので、リングフレーム７ｃは電気的に回転給電装置８より絶縁されることとなる。従って、万が一、反射板７２に触れたとしても感電することがないようになっている。
【００１６】
前記反射板７２は前記カバー７１の裏面側に位置しており、該反射板７２は前記リングフレーム７ｃに取付けられる２個の固定金具７４と共にネジ止め固定されると共に（図３、図４参照、なお、図では１ヵ所のみ示している）、カバー７１にも３個の固定金具７４を介してネジ止めされている（図５参照）。そして、カバー７１と反射板７２の間隔が広くなるように形成されており、ヒーター７３の熱によって反射板７２が加熱されていも、その熱が直接カバー７１に伝達されないようになっている。
【００１７】
前記反射板７２は図３〜図５に示すように断面形状において、水平部７２ａと湾曲部７２ｂとから形成されていおり、従来におけるお碗状の反射板とは形状を異にしている。このような形状とすることにより、図１０、図１１に示すように、加熱装置７が被施術者の頭部における頂部、後部、両側部に沿って回転させた場合には、反射板７２による熱反射が従来のように一部に集中せず、均一に拡散されることから、照射効率が従来品に比べて格段と高くなるものである。
【００１８】
次に、ヒーター７３を前記反射板７２に取付けるためのヒーター取付具７５の実施の形態を図７〜図９と共に説明する。
図７の第１の実施の形態におけるヒーター取付具７５は、ヒーター７３の長手方向に沿って２分割された碍子７５ａと、該碍子７５ａの外周を挟持すると共に一部に膨出部７５ｂ1 が形成され、碍子７５ａを弾性的に挟持する第１の板バネ７５ｂと、該第１の板バネに対して直交する膨出部７５ｃ1 を有し、一端が第１の板バネ７５ｂに固定され、他端が反射板７２に立設されたピン７２ｃにネジ止めされた第２の板バネ７５ｃとから構成されている。
【００１９】
このように構成したヒーター取付具７５にあっては、ヒーター７３の直径方向に膨張して碍子７５ａの間隔が広がろうとする力に対して第１の板バネ７５ｂの膨出部７５ｂ1 が吸収し、また、ヒーター７３の長手方向の膨張に対しては第２の板バネ７５ｃの膨出部７５ｃ1 が変形して吸収することとなる。従って、ヒーター７３が熱膨張によって径方向が太くなっても、また、長さ方向が長くなっても、ヒーター７３は反射板７２に対して無理な力を加えることがない。
【００２０】
次に、図８のヒーター取付具７５の第２実施の形態について説明する。なお、前記した図７の実施の形態と同一符号は同一部分を示し説明は省略する。
この実施の形態にあっては、前実施の形態における板バネ７５ｂに代えてバネ線７５ｄを使用する。
【００２１】
このバネ線７５ｄは碍子７５ａの全外周に形成された溝７５ａ1 に嵌まり込んでおり、かつ、２ヵ所に膨出部７５ｄ1 が形成されている。そして、バネ線７５ｄの両端は円形のリング状部７５ｄ2 となっていて、このリング状部７５ｄ2 が反射板７２にネジ止めされている。
【００２２】
このように構成したヒーター取付具７５にあっては、ヒーター７３の直径方向に膨張して碍子７５ａの間隔が広がろうとする力に対してバネ線７５ｄの膨出部７５ｄ1 が吸収し、また、ヒーター７３の長手方向の膨張に対してはバネ線７５ｄのリング状部７５ｄ2 がネジに対して回転変移して吸収する。従って、ヒーター７３が熱膨張によって径方向が太くなっても、また、長さ方向が長くなっても、ヒーター７３は反射板７２に対して無理な力を加えることがない。
【００２３】
次に、図９のヒーター取付具７５の第３実施の形態について説明する。なお、前記した図７の実施の形態と同一符号は同一部分を示し説明は省略する。
この実施の形態にあっては、ヒーター７３を反射板７２に対して取付けるのに５ヵ所でヒーター取付具７５を利用する場合を示しており、中央のヒーター取付具７５と、残り４個のヒーター取付具７５′とは構成が異なるものである。
【００２４】
すなわち、ヒーター取付具７５，７５′とは碍子７５ａを直接反射板７２にネジ止めすると共に、このネジ止めする碍子７５ａの間に皿ワッシャー等の弾性材７５ｅを介在する点で同じであるが、ヒーター取付具７５′にあっては、碍子７５ａとヒーター７３との間に金属製の固定バー７５ｆを介在した点で相違するものである。
【００２５】
このように構成したヒーター取付具７５，７５′にあっては、ヒーター７３の直径方向に膨張して碍子７５ａの間隔を広げようとする力に対して弾性材７５ｅによる弾性力で碍子７５ａの間隔が広がることにより吸収し、また、ヒーター７３の長手方向の膨張に対しては、該ヒーター７３の中央部分を支持したヒーター取付具７５′のみが固定バー７５ｆによってヒーター７３を碍子７５ａで固定し、他のヒーター取付具７５は碍子７５ａとヒーター７３との間に形成された隙間によって自由にヒーター７３の伸びが許容されることとになる。従って、ヒーター７３が熱膨張によって径方向が太くなっても、また、長さ方向が長くなっても、ヒーター７３は反射板７２に対して無理な力を加えることがない。
【００２６】
【発明の効果】
本発明は前記したように、ヒーターを２分割された碍子で弾性的に挟持すると共に、前記碍子を反射板に対して長手方向に変位可能なように取付けたことにより、ヒーターが熱膨張によって径が大きくなり、かつ、伸長しても、これを吸収するので、反射板に対してヒーターの熱膨張によっても変形を与えることがないと共に、熱膨張変化による金属摩擦音の発生もない。
【００２７】
また、ヒーターへの非通電時においても碍子との間に隙間が生じていないので、手が触れたり、ヒーターの熱膨張時における異音の発生を防止され、さらに、反射板とヒーターとの必要絶縁距離が保たれる等の効果を有するものである。
【図面の簡単な説明】
【図１】本発明の毛髪処理促進装置の概略を示す断面図である。
【図２】加熱装置の分解斜視図である。
【図３】同上のリングフレーム部分の裏面図である。
【図４】同上のＡ−Ａ線断面図である。
【図５】図３のＢ−Ｂ線断面図である。
【図６】図３のＣ−Ｃ線断面図である。
【図７】ヒーター取付具の第１の実施の形態を示し、（ａ）は断面図、（ｂ）は底面図である。
【図８】ヒーター取付具の第２の実施の形態を示し、（ａ）は断面図、（ｂ）は底面図である。
【図９】ヒーター取付具の第３の実施の形態を示し、（ａ）はスライド部分の断面図、（ｂ）は固定部分の断面図、（ｃ）はヒーターに取付けた状態の説明図である。
【図１０】赤外線の照射状態を示す側面図である。
【図１１】赤外線き照射状態を示す半断面正面図である。
【符号の説明】
７          加熱装置
７ｃ        リングフレーム
７ｄ        絶縁キャップ
７１        カバー
７２        反射板
７３        ヒーター
７４        固定具
７５        ヒーター取付具
７５ａ      碍子
７５ｂ      第１の板バネ
７５ｃ      第２の板バネ
７５ｄ      バネ線
７５ｅ      弾性材
７５ｆ      固定バー
【図１】
0003865286.tif 000002
【図２】
0003865286.tif 000003
【図３】
0003865286.tif 000004
【図４】
0003865286.tif 000005
【図５】
0003865286.tif 000006
【図６】
0003865286.tif 000007
【図７】
0003865286.tif 000008
【図８】
0003865286.tif 000009
【図９】
0003865286.tif 000010
【図１０】
0003865286.tif 000011
【図１１】
0003865286.tif 000012